(57)【要約】【課題】一斉球抜き機構の部品点数を削減できる賞球装置及び遊技機を提供する。【解決手段】球抜きレバー１２０をＩＮ方向へスライドさせると、分岐部にスロープ部１２４Ａ、１２４Ｂが配置される。流下通路１０４Ａ、１０４Ｂを流下したパチンコ球ＰＢは、スロープ部１２４Ａ、１２４Ｂに案内され、払出通路１０７Ａ、１０７Ｂを流下する。一方、球抜きレバー１２０をＯＵＴ方向へスライドさせると、分岐部にスルー部１２６Ａ、１２６Ｂ及びストッパー部１２８Ａ、１２８Ｂが配置されて、流下通路１０４Ａ、１０４Ｂを流下したパチンコ球ＰＢは、ストッパー部１２８Ａ、１２８Ｂによって払出通路１０７Ａ、１０７Ｂへの進入が防止され、排出通路１０８Ａ、１０８Ｂを流下する。このように、球抜きレバー１２０のみでパチンコ球ＰＢの流路を切換えられるので、部品点数を削減できる。【選択図】図１０
2008086441.tif 000002
【特許請求の範囲】
【請求項１】
遊技球が貯留された貯留部から前記遊技球を流下させる流下通路と、
前記流下通路の下端側に配置され前記流下通路を流下した前記遊技球を払い出す払出通路と、
前記流下通路の下端側に配置され前記流下通路を流下した前記遊技球を排出する排出通路と、
前記流下通路の下流側に配置され前記遊技球の流下方向と交差する方向にスライドして前記遊技球の通路を切り替え、前記払出通路又は前記排出通路に前記遊技球を流下させる移動部材と、
を備えたことを特徴とする賞球装置。
【請求項２】
前記移動部材が、
前記流下通路を流下した前記遊技球を前記払出通路に案内するガイド部と、
前記流下通路を流下した前記遊技球を前記排出通路に案内する穴部と、
を備え、前記移動部材を前記払出通路又は前記排出通路の幅の長さの略半分スライドさせると前記ガイド部又は前記穴部が前記遊技球の案内位置に移動することを特徴とする請求項１に記載の賞球装置。
【請求項３】
前記穴部の前記払出通路側には、前記流下通路を流下した前記遊技球が前記払出通路側へ進入するのを防止する防止壁が設けられていることを特徴とする請求項１又は請求項２に記載の賞球装置。
【請求項４】
前記流下通路、前記払出通路、及び前記排出通路が２条形成され、
前記移動部材は、一方の排出通路の中央に位置し前記流下通路を流下した前記遊技球を一方の払出通路へ案内するリブと、他方の排出通路の巾の半分を占め前記流下通路を流下した前記遊技球を他方の払出通路へ案内する平板と、
を備えたことを特徴とする請求項１から請求項３のいずれか１項に記載の賞球装置。
【請求項５】
請求項１から請求項４のいずれか１項に記載の賞球装置を備えたことを特徴とする遊技機。
【発明の詳細な説明】
【技術分野】
【０００１】
本発明は、遊技球が払い出される払出通路と遊技球を一斉球抜きする排出通路とを備え、払出通路と排出通路の切替えを行う賞球装置及び遊技機に関する。
【背景技術】
【０００２】
パチンコ機等の遊技機では、払出通路を流下した貸し球や賞球等の遊技球を払い出し、又は払い出しを停止させる払出装置を備えた賞球装置が使用されている。また、払出装置の上流側で、払出通路とは別の排出専用の通路（排出通路）を設けたものがある。
【０００３】
排出通路は、遊技機内の遊技球を一度に排出する「一斉球抜き」を行う場合に使用される。
【０００４】
ここで、遊技球を排出する排出装置の下流側に２つの球流下路を設け、さらに、この２つの球流下路を切り換える流路切換装置を設けた遊技機がある。（例えば、特許文献１参照）。
【特許文献１】特開２０００−２１８００８号公報
【発明の開示】
【発明が解決しようとする課題】
【０００５】
しかしながら、特許文献１の流路切換装置は、ソレノイドの動作で回動する流路切換弁を用いた構成となっており、通路切替えレバー、シャフト、ソレノイドといった複数の部品が必要で部品点数の削減が困難であった。
【０００６】
本発明は上記事実を考慮して、一斉球抜き機構の部品点数を削減できる賞球装置及び遊技機を得ることを目的とする。
【課題を解決するための手段】
【０００７】
本発明の請求項１に係る賞球装置は、遊技球が貯留された貯留部から前記遊技球を流下させる流下通路と、前記流下通路の下端側に配置され前記流下通路を流下した前記遊技球を払い出す払出通路と、前記流下通路の下端側に配置され前記流下通路を流下した前記遊技球を排出する排出通路と、前記流下通路の下流側に配置され前記遊技球の流下方向と交差する方向にスライドして前記遊技球の通路を切り替え、前記払出通路又は前記排出通路に前記遊技球を流下させる移動部材と、を備えたことを特徴としている。
【０００８】
上記構成によれば、遊技球の流下方向と交差する方向へ移動部材をスライドさせることにより遊技球の通路を切替えることができる。従って、従来の通路切替えレバーのように、シャフトとレバーの２部品が不要となり、部品点数の削減ができる。
【０００９】
本発明の請求項２に係る賞球装置は、前記移動部材が、前記流下通路を流下した前記遊技球を前記払出通路に案内するガイド部と、前記流下通路を流下した前記遊技球を前記排出通路に案内する穴部と、を備え、前記移動部材を前記払出通路又は前記排出通路の幅の長さの略半分スライドさせると前記ガイド部又は前記穴部が前記遊技球の案内位置に移動することを特徴としている。
【００１０】
上記構成によれば、移動部材を払出通路又は排出通路の幅の半分の長さ移動するだけで、ガイド部と穴部を入れ替えることができるので、省スペース化が可能となる。
【００１１】
本発明の請求項３に係る賞球装置は、前記穴部の前記払出通路側には、前記流下通路を流下した前記遊技球が前記払出通路側へ進入するのを防止する防止壁が設けられていることを特徴としている。
【００１２】
上記構成によれば、穴部の払出通路側に設けられた防止壁が、遊技球が払出通路側へ進入するのを防止するので、払出通路側に確実に遊技球を案内することができる。
【００１３】
本発明の請求項４に係る賞球装置は、前記流下通路、前記払出通路、及び前記排出通路が２条形成され、前記移動部材は、一方の排出通路の中央に位置し前記流下通路を流下した前記遊技球を一方の払出通路へ案内するリブと、他方の排出通路の巾の半分を占め前記流下通路を流下した前記遊技球を他方の払出通路へ案内する平板と、を備えたことを特徴としている。
【００１４】
上記構成によれば、一方の払出通路へ遊技球を案内するガイドがリブであるため、巾広の部材に比べて移動部材を成型するときの材料の使用量を低減できる。また、他方の払出通路へ遊技球を案内するガイドが平板であるため、移動部材の強度を上げることができる。
【００１５】
本発明の請求項５に係る遊技機は、請求項１から請求項４のいずれか１項に記載の賞球装置を備えたことを特徴としている。
【００１６】
上記構成によれば、賞球装置としての部品点数が低減されるので、遊技機全体の部品点数を低減することができる。
【発明の効果】
【００１７】
本発明は、上記構成としたので、一斉球抜き機構の部品点数を削減できる。
【発明を実施するための最良の形態】
【００１８】
以下、本発明の実施形態に係る賞球装置及び遊技機について図面を参照して説明する。
【００１９】
（パチンコ機の構成）
図１及び図２には、パチンコ機１０が示されている。
【００２０】
図１及び図２に示すように、パチンコ機１０は、パチンコ機１０の外郭を構成するとともにパチンコホールの島設備に設置される矩形状の外枠１２を備えている。
【００２１】
外枠１２の前面には、合成樹脂で矩形額縁状に形成された内枠１４が配置されており、内枠１４の下側となる外枠１２の前面下端部には、パチンコ機１０の前面下端部を構成する合成樹脂製の下飾り１６が取り付けられている。
【００２２】
内枠１４は、外枠１２の左上角部と下飾り１６の左上角部とに設けられた一対のヒンジ部１８、２０に、左側端部が軸支されて開閉可能に取り付けられている。
【００２３】
内枠１４の前面上部には、パチンコ機１０の前面上部を構成するガラス枠２２が配置されている。ガラス枠２２は、縦長略楕円形の窓部２４にガラス板２６が装着されるとともに、左側端部が内枠１４に軸支されて開閉可能に取り付けられている。
【００２４】
ガラス枠２２の裏面側となる内枠１４の前面上部には、矩形状の開口部１５が形成されている。この内枠１４の開口部１５には、遊技盤Ｇが着脱（交換）可能にセットされている。
【００２５】
遊技盤Ｇは、内枠１４に対して閉塞されたガラス枠２２によって覆われている。また、遊技盤Ｇの盤面上に設けられた遊技領域ＰＡが、パチンコ機１０の正面側から窓部２４のガラス板２６を通して視認可能とされている。
【００２６】
ガラス枠２２の前面で左右の両側端部には、遊技の進行に応じて点灯、消灯、及び点滅し照明による演出を行う複数のランプ２８が配設されている。また、ガラス枠２２の左上と右上の各角部近傍に、遊技の進行に応じて効果音をステレオ出力する中高音用のスピーカ３０Ｌ、３０Ｒが内蔵されている。
【００２７】
一方、内枠１４の前面下部には、パチンコ機１０の前面下部を構成する皿ユニット４０が配置されている。
【００２８】
皿ユニット４０は、皿ユニット４０の本体部を構成するベース４１の左側端部が、内枠１４に軸支されて開閉可能に取り付けられている。
【００２９】
ベース４１の前面上部には、パチンコ球を遊技盤Ｇへ向けて発射するために貯留して発射装置６０へ供給する上皿４２が突設されている。また、ベース４１の前面下部における上皿４２の左下には、上皿４２に貯留しきれないパチンコ球を貯留するための下皿４４が突設されている。
【００３０】
上皿４２は、底面が正面視にて右側から左側へ向けて下り傾斜している。上皿４２の底面の傾斜方向下流側には、上皿４２内に貯留されたパチンコ球を１列に整列して、ベース４１の裏面に取り付けられた球送り装置４５へ誘導する整列通路４６が設けられている。
【００３１】
ベース４１によって構成された上皿４２の奥壁面における右側端部には、内枠１４の裏面に設けられた払出装置６２（図３参照）から払い出された貸し球や賞球が排出される球排出口４８が形成されている。
【００３２】
下皿４４の奥壁面における右側端部には、上皿４２に貯留しきれないパチンコ球が排出される球排出口４９が形成されている。
【００３３】
ベース４１の前面右下部には、発射装置６０と電気的に接続されて打球の発射力（飛距離）を調整する発射ハンドル５４が取り付けられている。また、ベース４１の前面左下部には、下皿４４に隣接して灰皿５６が設けられている。さらに、ベース４１の前面略中央は矩形箱状に膨出しており、内部には、遊技の進行に応じて効果音を出力する重低音用のスピーカ（サブウーハ）５８が設けられている。
【００３４】
図２に示すように、ベース４１の裏面における略中央部には、上皿４２に貯留しきれないパチンコ球を下皿４４へ流下させる球通路７０が設けられている。
【００３５】
球通路７０は、上端部に通路入口７２が形成され、下端部に形成された通路出口は、球排出口４９と連通している。球通路７０よりも回転支軸に近い側には、球送り装置４５が取り付けられている。
【００３６】
一方、皿ユニット４０の後側には、遊技盤Ｇの左下に発射装置６０が配置され、遊技盤Ｇの略中央下方から右下に掛けては、貯球タンク７４が内枠１４に着脱可能に取り付けられている。
【００３７】
貯球タンク７４は、上面が開口した箱型とされ、タンク底面が正面視にて左側から右側へ向けて下り傾斜している。
【００３８】
貯球タンク７４の底面の傾斜方向下流側となる右側の前面には、上皿４２の球排出口４８と連通したタンク出口７６が形成されている。また、貯球タンク７４の前面左側端部には、貯球タンク７４内のパチンコ球貯留量が満タンになった際にパチンコ球が溢れ出す、オーバーフロー部７８が形成されている。
【００３９】
図２及び図３に示すように、内枠１４の裏面における開放側（裏面視左側）の側端部には、内枠１４及びガラス枠２２を施錠するための施錠装置６４が取付けられている。
【００４０】
施錠装置６４の下側には、皿ユニット４０をロックするためのロック装置６８が取り付けられている。これにより、皿ユニット４０が内枠１４に閉塞された状態でロック装置６８でロックされ、ガラス枠２２が内枠１４に閉塞された状態で施錠装置６４で施錠されるようになっている。
【００４１】
施錠装置６４にはシリンダー錠６６が設けられており、シリンダー錠６６は、皿ユニット４０の前面右上に露出されている。
【００４２】
ここで、シリンダー錠６６の鍵孔に図示しない鍵を差し込んで開錠操作すると、外枠１２に施錠された内枠１４が開錠されて開放可能となる。また、内枠１４に施錠されたガラス枠２２が開錠されて開放可能となる。
【００４３】
さらに、ガラス枠２２を開放することで露出されるロック装置６８のロック解除レバー６９を操作すると、内枠１４にロックされていた皿ユニット４０がロック解除されて開放可能となる。
【００４４】
皿ユニット４０がロック装置６８によりロックされると、発射装置６０の前側に球送り装置４５が配置される。また、オーバーフロー部７８の前下側に球通路７０の通路入口７２が配置され、タンク出口７６及び球排出口４８を介して貯球タンク７４と上皿４２とが連通される。
【００４５】
図３に示すように、内枠１４の裏面における上部には、島設備から供給されたパチンコ球を貯留するための上タンク８０及び下タンク８２が設けられている。
【００４６】
内枠１４裏面の回転支軸側（裏面右側）の側端部には、上タンク８０及び下タンク８２に貯留されたパチンコ球を貯球タンク７４（図２参照）側へ流下させる上部球通路ユニット８４及び下部球通路ユニット８６が延設されている。
【００４７】
上部球通路ユニット８４と下部球通路ユニット８６の間には、パチンコ球を所定数ずつ払い出す払出装置６２が取り付けられている。また、下部球通路ユニット８６の下側には、発射装置６０が取付けられている。
【００４８】
発射装置６０の左側には、払出装置６２を制御してパチンコ球の払い出しを実行及び停止させる払出制御基板８８が設けられている。
【００４９】
払出制御基板８８は、払出停止制御と払出実行制御を実行可能に設けられている。
【００５０】
払出停止制御の場合、払出制御基板８８は、払出装置６２を駆動停止させてパチンコ球の払い出しを停止する。
【００５１】
一方、払出実行制御の場合、図１〜図３に示すように、払出制御基板８８は、払出装置６２を駆動させて、上タンク８０及び下タンク８２から上部球通路ユニット８４を流下し払出装置６２に誘導されたパチンコ球を、貸し球又は賞球として下部球通路ユニット８６へ払い出す。
【００５２】
そして、下部球通路ユニット８６を通り貯球タンク７４へ誘導されたパチンコ球は、貯球タンク７４内を上流側（左側）から下流側（右側）へ転動して球排出口４８から排出され、上皿４２に貯留される。
【００５３】
さらに、パチンコ球は上皿４２内を下流側（左側）へ流下しつつ整列通路４６により１列に整列され、遊技者の発射ハンドル５４の操作により、球送り装置４５により１球ずつ発射装置６０に送り込まれる。
【００５４】
発射装置６０に送り込まれたパチンコ球は、発射装置６０によって遊技盤Ｇの遊技領域ＰＡへ発射される（図２の矢印Ａ方向）。このパチンコ球が遊技領域ＰＡを自重落下する過程で入賞又は外れとなることにより、遊技盤Ｇにてパチンコ球を用いた遊技が行われる。
【００５５】
遊技の進行に伴い、大量のパチンコ球が賞球として払い出されるなどし、上皿４２が満タンになると、上皿４２に貯留しきれないパチンコ球は貯球タンク７４に貯留される。
【００５６】
さらに貯球タンク７４が満タンになると、パチンコ球はオーバーフロー部７８から溢れ出す。この貯球タンク７４から溢れ出したパチンコ球は、通路入口７２に落下して球通路７０を流下し、球排出口４９から排出されて下皿４４に貯留される。
【００５７】
また、遊技の終了時などに、上皿４２の前面左側に設けられた上皿用球抜きレバー５０を操作すると、整列通路４６の最下流部が開放して、上皿４２に貯留されたパチンコ球が球通路７０へ排出され下皿４４へ流下する。
【００５８】
さらに、下皿４４がパチンコ球で満タンになったときや遊技の終了時などに、下皿４４の前面下側に設けられた下皿用球抜きレバー５２を操作すると、下皿底面の一部が開放して、下皿４４に貯留されたパチンコ球が下皿４４の下方に配置された図示しない球箱へ排出される。
【００５９】
一方、内枠１４の前面におけるタンク出口７６の下方位置と、皿ユニット４０のベース４１裏面における球排出口４８の下方位置とには、上下方向にスライド可能とされた一対のシャッター板９０、９２が取り付けられている。
【００６０】
シャッター板９０、９２は、皿ユニット４０が閉塞されると各々下方へ移動して、タンク出口７６と球排出口４８とを開放し連通させる。また、皿ユニット４０が開放されると各々上方へ移動して、内枠１４側のシャッター板９０はタンク出口７６の下縁側を塞ぎ、皿ユニット４０側のシャッター板９２は球排出口４８の下縁側を塞ぐ。
【００６１】
このシャッター板９０、９２によって、皿ユニット４０を開放した際に、貯球タンク７４及び上皿４２からパチンコ球が流出しないよう塞き止められる。
【００６２】
（払出機構の構成）
次に、パチンコ機１０の内枠１４の裏面に設けられたパチンコ球の払出機構について説明する。
【００６３】
図４〜図１１には、本実施形態に係る払出機構１００が示されている。
【００６４】
図４及び図５に示すように、払出機構１００に設けられた基板となる矩形状のベース板１０２の裏面左上端部には、前述した上タンク８０及び下タンク８２が取り付けられている。
【００６５】
下タンク８２の底面は、裏面視の左側から右側へ向けて下り傾斜しており、傾斜方向下流側がベース板１０２の裏面右側端部付近まで延出されている。この延出部の内部には、パチンコ機１０の前後方向に隣接する２本の球通路８３Ａ、８３Ｂが形成されている。
【００６６】
ベース板１０２の裏面右側端部の上側には、前述の上部球通路ユニット８４が取り付けられている、
上部球通路ユニット８４の上部には、球通路８３Ａ、８３Ｂに対応する図示しない２つの通路入口が形成されている。
【００６７】
図７に示すように、上部球通路ユニット８４の内部には、各通路入口に流入したパチンコ球を払出経路へ流下させる２条の流下通路１０４Ａ、１０４Ｂが設けられている。
【００６８】
流下通路１０４Ａ、１０４Ｂは、上部球通路ユニット８４内の上部側において、裏面から見たときに奥側、手前側に相互に隣接し、各々上方から下方へ向けてパチンコ機１０の幅方向である左右方向に蛇行するよう延設されている。
【００６９】
また、上部球通路ユニット８４内の下部側には、パチンコ球を払出経路へ流下させるための払出通路１０７Ａが左側に配置され、払出通路１０７Ｂが右側に配置されて、各々下方へ向け延設されている。
【００７０】
上部球通路ユニット８４の下面手前側には、この払出通路１０７Ａ、１０７Ｂを流下したパチンコ球が流出する２つの球払出通路出口１０６Ａ、１０６Ｂが左右方向に相互に隣接して形成されている。
【００７１】
上部球通路ユニット８４内の下部側には更に、流下通路１０４Ａ、１０４Ｂの手前側へ向けた蛇行部付近から分岐して、パチンコ球を排出経路へ流下させる２本の排出通路１０８Ａ、１０８Ｂが設けられている。
【００７２】
上部球通路ユニット８４の下面前部には、この排出通路１０８Ａ、１０８Ｂを流下したパチンコ球が流出する２つの球排出通路出口１１０Ａ、１１０Ｂが左右方向に相互に隣接して形成されている。
【００７３】
一方、流下通路１０４Ａ、１０４Ｂと排出通路１０８Ａ、１０８Ｂとの分岐部には、球抜きレバー１２０が配置されている。
【００７４】
図８及び図９に示すように、球抜きレバー１２０は、レバー本体１２２の側端部に操作部１２３が突設されており、２つのスロープ部１２４Ａ、１２４Ｂが設けられている。
【００７５】
スロープ部１２４Ａ、１２４Ｂは、流下通路１０４Ａ、１０４Ｂの間隔と略同間隔Ｌで配置されている。
【００７６】
スロープ部１２４Ａは、上方から下方手前側へ向けて湾曲するリブ１２５の端面によって幅狭に形成されており、スロープ部１２４Ａの左側には、上下方向に開放された開放部分によってスルー部１２６Ａが形成されている。
【００７７】
スロープ部１２４Ｂは、上方から下方後側へ向けて湾曲する曲面によって幅広に形成されている。また、スロープ部１２４Ｂの端部には、平面部１２７が形成されている。
【００７８】
このスロープ部１２４Ｂとスロープ部１２４Ａとの間には、上下方向に貫通する開口部によってスルー部１２６Ｂが形成されており、スルー部１２６Ｂの左右方向の幅Ｌは、パチンコ球ＰＢが通過可能な大きさに設定されている。
【００７９】
また、スルー部１２６Ａ、１２６Ｂの奥行き方向の幅Ｄは、パチンコ球ＰＢの直径の２倍以上となっており、スルー部１２６Ａ、１２６Ｂでパチンコ球ＰＢが詰まりにくくなっている。
【００８０】
ここで、スロープ部１２４Ａの下流部における左側には、スロープ部１２４Ａの下流部よりも上方へ突出されたストッパー部１２８Ａが設けられている。スロープ部１２４Ａを挟んでストッパー部１２８Ａと反対側には、スロープ部１２４Ｂの各下流部よりも上方へ突出されたストッパー部１２８Ｂが設けられている。
【００８１】
ストッパー部１２８Ａ、１２８Ｂの突出量Ｘは、パチンコ球ＰＢが払出通路１０７Ａ、１０７Ｂに進入しないように予め規定されている。なお、ストッパー部１２８Ａ、１２８Ｂは、球抜きレバー１２０を移動するときに、パチンコ球ＰＢを持ち上げられるようにテーパ面が形成されている。  
【００８２】
ストッパー部１２８Ａ、１２８Ｂの手前側には、球抜きレバー１２０を移動するときに、ストッパー部１２８Ａ、１２８Ｂの上流側にあるパチンコ球ＰＢを逃がすための空間部１２１Ａ、１２１Ｂが設けられている。空間部１２１Ａ、１２１Ｂの横幅Ｙは、予めパチンコ球ＰＢを逃がし易いように規定されている。
【００８３】
ここで、図７に示すように、球抜きレバー１２０は、流下通路１０４Ａ、１０４Ｂと排出通路１０８Ａ、１０８Ｂの分岐部において、矢印ＩＮ、ＯＵＴ方向へスライド可能に取り付けられており、操作部１２３が上部球通路ユニット８４の右側面から露出している。
【００８４】
矢印ＩＮ、ＯＵＴ方向は、パチンコ球ＰＢの流下方向と交差する方向となっている。また、球抜きレバー１２０をスルー部１２６Ｂの左右方向の幅Ｌの略半分移動させることにより、スロープ部１２４Ａ、１２４Ｂと、ストッパー部１２８Ａ、１２８Ｂの位置が変わり、パチンコ球ＰＢの払い出し又は排出が切換えられるようになっている。
【００８５】
なお、スルー部１２６Ｂの左右方向の幅Ｌは、流下通路１０４Ａ、１０４Ｂ、又は排出通路１０８Ａ、１０８Ｂの幅の半分の長さとなっている。
【００８６】
操作部１２３に対応する上部球通路ユニット８４の右側面部位には、ストッパー部材１２９が取り付けられており、球抜きレバー１２０の矢印ＯＵＴ方向へのスライドは、ストッパー部材１２９によって制限される。
【００８７】
一方、図５及び図６に示すように、上部球通路ユニット８４の下面には、払出装置固定レバー１３０が配置されている。
【００８８】
払出装置固定レバー１３０は、レバー本体の右側端部に操作部１３３が突設されており、操作部１３３の下端部には、左右方向に沿ったスリット溝１３４が形成されている。
【００８９】
また、払出装置固定レバー１３０は、図示しない取付孔にネジが挿通され、上部球通路ユニット８４の下面後部で左右方向へスライド可能に取り付けられている。
【００９０】
ここで、払出装置固定レバー１３０が矢印ＯＵＴ方向へスライドされると、球払出通路出口１０６Ａ、１０６Ｂは開通され、パチンコ球ＰＢが流下可能となる。
【００９１】
また、払出装置固定レバー１３０が矢印ＩＮ方向へスライドされると、球払出通路出口１０６Ａ、１０６Ｂは閉塞されるようになっている。
【００９２】
上部球通路ユニット８４の右側面における下端部には、溝部１４０が設けられている。
【００９３】
溝部１４０は、縦断面が逆凹状とされ手前から奥側方向に沿って延設されている。また、溝部１４０は、払出装置固定レバー１３０が右側方向へスライドされると、手前側が閉塞され、払出装置固定レバー１３０が左側へスライドされると、手前側が開放される。
【００９４】
上部球通路ユニット８４の下端に隣接する位置には、前述の払出装置６２が取付けられている。
【００９５】
払出装置６２の上部には、Ｌ字形状のストッパーリブ１７０と、溝部１４０に対応する断面突状の固定リブ１６８が設けられている。
【００９６】
払出装置６２は、溝部１４０と固定リブ１６８とが係合した状態で、払出装置固定レバー１３０を右方向へスライドさせることにより、ストッパーリブ１７０とスリット溝１３４とが係合しパチンコ機１０に固定される。一方、払出装置固定レバー１３０を左方向へスライドさせた場合は、固定が解除される。
【００９７】
図５及び図７に示すように、払出装置６２の上面手前側には、上部球通路ユニット８４の球払出通路出口１０６Ａ、１０６Ｂに対応する２つの球払出通路入口１４２Ａ、１４２Ｂが形成されている。また、払出装置６２の内部には、球払出通路入口１４２Ａ、１４２Ｂに流入したパチンコ球を払出経路へ流下させる２本の球払出通路１４４Ａ、１４４Ｂが設けられている
球払出通路１４４Ａ、１４４Ｂは、払出装置６２内の上部側では、左右方向に相互に隣接し、各々上方から下方へ向けて手前方向、奥方向に蛇行するよう延設されている。また、払出装置６２内の下部側に至ると、球払出通路１４４Ａ、１４４Ｂが合流して１本の球払出通路１４４Ｃとなっている。
【００９８】
球払出通路１４４Ｃは、下方へ向けて直線状に延設されている。払出装置６２の下端部には、球払出通路１４４Ｃを流下したパチンコ球が流出する球排出通路出口１４６が形成されている。
【００９９】
球払出通路１４４Ａと球払出通路１４４Ｂの合流部近傍には、スプロケット１５０が設けられている。
【０１００】
スプロケット１５０は、外周部に、球払出通路１４４Ａに対応する凹溝１５２Ａと、球払出通路１４４Ｂに対応する凹溝１５２Ｂが形成されている。また、払出装置６２内の右側端に配置されたステッピングモータ１５４（図５参照）の回転軸１５６に取り付けられて、外周部の一部が各通路内に臨むように配置されている。
【０１０１】
また、払出装置６２の内部には、検出センサ１４８が設けられており、検出センサ１４８によって検出されたパチンコ球検出信号が、前述の払出制御基板８８（図３参照）へ出力される。このパチンコ球検出信号により、払出制御基板８８は、ステッピングモータ１５４へ駆動電力を供給し、スプロケット１５０の回転制御を行う。
【０１０２】
一方、図７に示すように、払出装置６２の奥側には、上部球通路ユニット８４の球排出通路出口１１０Ａ、１１０Ｂに対応する２つの球排出通路入口１６２Ａ、１６２Ｂと、球排出通路入口１６２Ａ、１６２Ｂに流入したパチンコ球を排出経路へ流下させる２本の球排出通路１６４Ａ、１６４Ｂが設けられている。
【０１０３】
球排出通路１６４Ａ、１６４Ｂは、左右方向に相互に隣接し、各々上方から下方へ向けて延設されている。払出装置６２の下面前部には、この球排出通路１６４Ａ、１６４Ｂを流下したパチンコ球が流出する２つの球排出通路出口１６６Ａ、１６６Ｂが左右方向に相互に隣接して形成されている。
【０１０４】
図５及び図６に示すように、払出装置６２の下側に前述した下部球通路ユニット８６が取り付けられている。下部球通路ユニット８６は、ベース板１０２に複数本のネジ１７１によって取り付けられている。
【０１０５】
下部球通路ユニット８６の上面手前側には、払出装置６２の球排出通路出口１４６（図７参照）に対応する球払出通路入口１７２と、球払出通路入口１７２に流入したパチンコ球を払出経路へ流下させる下部球払出通路１７４とが設けられている。
【０１０６】
下部球払出通路１７４は、前述した貯球タンク７４（図２参照）のタンク入口に接続されている。
【０１０７】
また、下部球通路ユニット８６の上面奥側には、払出装置６２の球排出通路出口１６６Ａ、１６６Ｂ（図７参照）に対応する２つの球排出通路入口１７８Ａ、１７８Ｂと、球排出通路入口１７８Ａ、１７８Ｂに流入したパチンコ球を排出経路へ流下させる２本の下部球排出通路１８０Ａ、１８０Ｂとが設けられている。
【０１０８】
下部球排出通路１８０Ａ、１８０Ｂは、左右方向に相互に隣接しており、下端部に球払出通路出口１８２Ａ、１８２Ｂが設けられている。
【０１０９】
次に、本実施形態の作用について説明する。
【０１１０】
図７及び図１０に示すように、パチンコ機１０において遊技を行う場合は、球抜きレバー１２０の操作部１２３を指で押し込み、球抜きレバー１２０を矢印ＩＮ方向へスライドさせる。
【０１１１】
球抜きレバー１２０が矢印ＩＮ方向へスライドされると、流下通路１０４Ａ、１０４Ｂと排出通路１０８Ａ、１０８Ｂの分岐部にスロープ部１２４Ａ、１２４Ｂが配置され、流路ＲＡ、ＲＢが形成される。
【０１１２】
流路ＲＡ、ＲＢにおいて、流下通路１０４Ａ、１０４Ｂを流下したパチンコ球ＰＢは、スロープ部１２４Ａ、１２４Ｂに案内され、払出通路１０７Ａ、１０７Ｂを流下する。
【０１１３】
払出通路１０７Ａ、１０７Ｂを流下したパチンコ球ＰＢは、払出装置６２の球払出通路１４４Ａ、１４４Ｂに流下し、スプロケット１５０に塞き止められてスプロケット１５０の上流側に滞留される。
【０１１４】
そして、球貸し時や入賞時等には、払出制御基板８８がステッピングモータ１５４を制御して回転駆動させることにより、スプロケット１５０が回転する。
【０１１５】
球払出通路１４４Ａ、１４４Ｂ内のパチンコ球ＰＢは凹溝１５２Ａ、１５２Ｂに嵌まり込み、スプロケット１５０の回転に伴い交互に球払出通路１４４Ｃへ誘導されて、貸し球又は賞球として上皿７４に払い出される。
【０１１６】
このようにして、上タンク８０及び下タンク８２（図３参照）に貯留されたパチンコ球ＰＢを、貯球タンク７４を経て上皿４２に払い出す払出経路が形成される。
【０１１７】
一方、パチンコ機１０のメンテナンスや入れ替え等により、球抜きを行う場合は、球抜きレバー１２０を矢印ＯＵＴ方向へスライドさせる。
【０１１８】
球抜きレバー１２０が矢印ＯＵＴ方向へスライドされると、流下通路１０４Ａ、１０４Ｂと排出通路１０８Ａ、１０８Ｂの分岐部にスルー部１２６Ａ、１２６Ｂ及びストッパー部１２８Ａ、１２８Ｂが配置されて、流路ＲＣ、ＲＤが形成される。
【０１１９】
流路ＲＣ、ＲＤにおいて、流下通路１０４Ａ、１０４Ｂを流下したパチンコ球ＰＢは、ストッパー部１２８Ａ、１２８Ｂによって払出通路１０７Ａ、１０７Ｂへの進入が防止され、スルー部１２６Ａ、１２６Ｂを通過して、排出通路１０８Ａ、１０８Ｂを流下する。
【０１２０】
排出通路１０８Ａ、１０８Ｂを流下したパチンコ球ＰＢは、払出装置６２の球排出通路１６４Ａ、１６４Ｂ、及び、下部球通路ユニット８６の下部球排出通路１８０Ａ、１８０Ｂを流下して、パチンコ機１０の外部に排出する。
【０１２１】
このようにして、上タンク８０及び下タンク８２に貯留されたパチンコ球をパチンコ機１０の外部に排出する排出経路（球抜き経路）が形成される。
【０１２２】
以上説明したように、本実施形態においては、パチンコ球ＰＢの流下方向と交差する方向へ球抜きレバー１２０をスライドさせることにより、パチンコ球ＰＢの通路を切替えることができる。従って、従来の通路切替えレバーのように、シャフトとレバーの２部品が不要となり、部品点数の削減ができる。
【０１２３】
また、球抜きレバー１２０を払出通路１０７Ａ、１０７Ｂ又は排出通路１０８Ａ、１０８Ｂの幅の半分の長さ移動するだけで、スロープ部１２４Ａ、１２４Ｂとスルー部１２６Ａ、１２６Ｂを入れ替えることができるので、省スペース化が可能となる。
【０１２４】
さらに、スルー部１２６Ａ、１２６Ｂの払出通路１０７Ａ、１０７Ｂ側に設けられたストッパー部１２８Ａ、１２８Ｂが、パチンコ球ＰＢが払出通路１０７Ａ、１０７Ｂ側へ進入するのを防止するので、排出通路１０８Ａ、１０８Ｂ側にパチンコ球ＰＢを案内することができる。
【０１２５】
また、一方の払出通路１０７Ａへパチンコ球ＰＢを案内するガイドがリブ１２５であるため、巾広の部材に比べて材料の使用量を低減できる。また、他方の払出通路１０７Ｂへ球を案内するガイドが平面部１２７であるため、球抜きレバー１２０の強度を上げることができる。
【０１２６】
さらに、払出機構１００としての部品点数が低減されるので、パチンコ機１０全体の部品点数を低減することができる。
【０１２７】
なお、本発明は上記の実施形態に限定されない。
【０１２８】
払出通路１０７Ａ、１０７Ｂの設置位置と排出通路１０８Ａ、１０８Ｂの設置位置は、どちらが手前側又は奥側にあってもよく、左右に配置されていてもよい。
【０１２９】
球抜きレバー１２０における操作部１２３、スロープ部１２４Ａ、１２４Ｂ、及びスルー部１２６Ａ、１２６Ｂ等は、左右逆に配置されたものであってもよい。
【０１３０】
球抜きレバー１２０の移動方向は、左右方向に限定されるものではなく、払出通路１０７Ａ、１０７Ｂ又は排出通路１０８Ａ、１０８Ｂの形状、配置位置によっては、上下方向、又は斜め方向に移動するものであってもよい。
【図面の簡単な説明】
【０１３１】
【図１】本発明の実施形態に係るパチンコ機の斜視図である。
【図２】本発明の実施形態に係るパチンコ機のガラス枠及び皿ユニットが開放された状態を示す斜視図である。
【図３】本発明の実施形態に係るパチンコ機を裏面から見た斜視図である。
【図４】本発明の実施形態に係るパチンコ機の裏面に設けられた払出機構を示す斜視図である。
【図５】本発明の実施形態に係るパチンコ機の裏面に設けられた払出機構の分解状態を示す斜視図である。
【図６】本発明の実施形態に係るパチンコ機の払出機構を示す背面図である。
【図７】本発明の実施形態に係る上部球通路ユニットの正面図及び断面図である。
【図８】本発明の実施形態に係る球抜きレバーの正面図、平面図、及び左側面図である。
【図９】本発明の実施形態に係る球抜きレバーの斜視図である。
【図１０】本発明の実施形態に係る上部球通路ユニットにおけるパチンコ球の払い出し状態を示す部分断面図である。
【図１１】本発明の実施形態に係る上部球通路ユニットにおけるパチンコ球の排出状態を示す部分断面図である。
【符号の説明】
【０１３２】
１０  パチンコ機（遊技機）
８０  上タンク（貯留部）
８２  下タンク（貯留部）
１００  払出機構（賞球装置）
１０４Ａ  流下通路（流下通路）
１０４Ｂ  流下通路（流下通路）
１０７Ａ  払出通路（払出通路）
１０７Ｂ  払出通路（払出通路）
１０８Ａ  排出通路（排出通路）
１０８Ｂ  排出通路（排出通路）
１２０  球抜きレバー（移動部材）
１２４Ａ  スロープ部（ガイド部）
１２４Ｂ  スロープ部（ガイド部）
１２５  リブ（リブ）
１２６Ａ  スルー部（穴部）
１２６Ｂ  スルー部（穴部）
１２７  平面部（平板）
１２８Ａ  ストッパー部（防止壁）
１２８Ｂ  ストッパー部（防止壁）
ＰＢ  パチンコ球（遊技球）
【図１】
2008086441.tif 000003
【図２】
2008086441.tif 000004
【図３】
2008086441.tif 000005
【図４】
2008086441.tif 000006
【図５】
2008086441.tif 000007
【図６】
2008086441.tif 000008
【図７】
2008086441.tif 000009
【図８】
2008086441.tif 000010
【図９】
2008086441.tif 000011
【図１０】
2008086441.tif 000012
【図１１】
2008086441.tif 000013